(57)【要約】      （修正有）【課題】支持具が配置された縄梯子を開示する。該縄梯子は複数の支持具が壁に接触することにより支えられ、縄梯子の踏桟が壁の表面から離されている。このため使用者が踏桟を踏み易くなっており、且つ確実に安全に踏めるようになっている縄梯子を提供する。【解決手段】縄梯子は、建築物に掛けられる梯子ホック１、該梯子ホック１と確実に連結した左右２本のベルト２を組み合わせた縄梯子本体及び左右２本のベルト間にアルミ合金材の棒を内蔵した複数の踏桟３、２本のベルト２のそれぞれの裏面と踏桟３との連結部分に対称に配置された支持具４の４つの部分で組み立てられている。支持具４は捩じりばねが取り付けられた折り畳み式構造で、前記捩じりばねの捩り力により、支持具４は自動的に外側へ開く。又は踏桟３との内角が９０度を僅かに超える。支持具４に支えられ壁面に対し平行となり縄梯子は壁に接触しない。【選択図】図２
0003106361.tif 000002
【実用新案登録請求の範囲】
【請求項１】
建築物に掛けられる梯子ホック（１）、該梯子ホック（１）と確実に連結した左右２本のベルト（２）を組み合わせた縄梯子本体及び左右２本のベルト間の複数の踏桟（３）からなり、前記２本のベルト（２）の夫々の裏面に対称に配置された支持具（４）を有し、該支持具（４）が梯子の２本のベルト（２）と踏桟（３）との連結部分に装着されていることを特徴とする支持具が取り付けられた縄梯子。
【請求項２】
前記支持具（４）が折り畳み式の構造で、前記踏桟（３）及び前記ベルト（２）の前記連結部分に確実に連結した基板（４１）と、ピボットシャフトによって該基板（４１）と回動可能に連結する支え板（４２）とを含み、前記ピボットシャフト（４３）が捩じりばね（４４）の中を通り、該捩りばねの捩り力のため、前記支え板（４２）が自動的に外側に広がり、前記支え板（４２）底部の内側にある凸縁部（４２１）が前記基板（４１）上にある小さい制限突起（４１１）に当たり、開いた前記支え板（４２）と前記踏桟（３）との内角が９０度を僅かに超えることを特徴とする請求項１記載の支持具が取り付けられた縄梯子。
【請求項３】
前記梯子ホック（１）が、正面視Ｕ型のホック本体（１１）及び、第１水平エッジ（１２１）と垂直エッジ（１２２）との２つのエッジで形成されたＬ型の左右ホック（１２）からなり、前記Ｕ型溝のホック本体（１１）には両端からそれぞれ後方に向かって第２水平エッジ（１１１）が延設されており、前記Ｌ型の左右ホック（１２）の第１水平エッジ（１２１）は２本のボルトで固定しており、前記ホック本体（１１）の２つの第２水平エッジ（１１１）には前記梯子ホック（１）の前後幅を調節する貫通穴（１１２）が一列に並設され、前記Ｌ型の左右ホック（１２）の第１水平エッジ（１２１）に設けられる２本のボルト（１２３）がＵ型のホック本体（１１）の第２水平エッジ（１１１）に設けられる貫通穴を通り蝶型ナット（１３）に捩じ込んで固定されていることを特徴とする請求項１又は請求項２記載の支持具が取り付けられた縄梯子。
【請求項４】
前記縄梯子の左右２本のベルト（２）と踏桟（３）が連結する全ての箇所に前記支持具（４）を取り付けることを特徴とする請求項１又は請求項２記載の支持具が取り付けられた縄梯子。
【請求項５】
踏桟（３）２又は３本ごとに一組の前記支持具（４）を取り付けることを特徴とする請求項１又は請求項２記載の支持具が取り付けられた縄梯子。
【請求項６】
前記踏桟（３）はアルミ合金材を内蔵し、外面に難燃性の編みテープで巻きつけられていることを特徴とする請求項１又は請求項２記載の支持具が取り付けられた縄梯子。
【考案の詳細な説明】
【技術分野】
【０００１】
本実用新案は縄梯子に関し、より具体的には、非常時に避難する際に用いるための縄梯子に関する。
【背景技術】
【０００２】
従来、社会において幅広く使用されている縄梯子は、大部分が柔らかい紡績テープを縫製して作った縄梯子であった。使用者が該縄梯子を踏むと捩じれて変形しやすく、縄梯子の全体が建築物と接触し、隙間がなく踏み難く使用するのに不便であった。特に非常時においては、使用者が縄梯子の踏桟を容易に踏むことができず、避難するのに余分な時間がかかることがある。
【０００３】
【特許文献１】特開２００３−１３５６１０号公報
【考案の開示】
【考案が解決しようとする課題】
【０００４】
本実用新案の目的は踏桟を踏みやすくして、確実且つ安全に避難することを可能とする支持具が付いた縄梯子を提供することである。
【課題を解決するための手段】
【０００５】
本実用新案の目的は以下の技術手段を用い実現できる。
設計の発想として、支持具を取り付けた縄梯子を設計する。該縄梯子は建築物に掛けられる梯子ホック、該梯子ホックと確実に連結した左右２本のベルトで組み合わせた縄梯子の本体及び左右２本のベルトと連結する複数の踏桟を含む。
【０００６】
前記縄梯子の２本のベルトのそれぞれの裏面には支持具が対称に配置され、該支持具が梯子のベルトと踏桟と連結した箇所に取り付けられ、該支持具によって梯子と壁の間に隙間ができ使用者が踏桟を踏む際に必要な空間を提供している。
【０００７】
前記支持具が折り畳み式の構造で、踏桟と梯子ベルトが連結する部分に確実に連結した基板、ピボットシャフトによって該基板と回動可能に連結する支え板を含み、前記ピボットシャフトの中に捩じりばねがあり、この捩りばねの捩り力のため、支え板が自動的に外側に広がり、支え板底部の内側にある凸縁部が前記基板の上にある小さい制限突起に当たり、開いた支え板が前記踏桟との内角は９０度を僅かに超えるのである。この角度で踏桟を踏む時、支え板が閉じることが避けられる。
【０００８】
支持具が折り畳み式の構造のため、縄梯子を巻いた時、支持具の支え板を収納することが可能であり、縄梯子を折り畳んだ際の体積を小さくすることができる。使用時において、縄梯子を開くだけで支持具の支え板が捩じりばねの作用で自動的に開く。
【０００９】
梯子ホックには正面視がＵ型のホック本体、及び第１水平エッジと垂直エッジの２つのエッジで形成されたＬ型の左右ホックを含む。前記Ｕ型のホック本体は両端からそれぞれ後方に第２水平エッジを延設する。
前記Ｌ型の左右ホックの第１水平エッジには２本のボルトが固定されている。前記ホック本体の２つの第２水平エッジには前記梯子ホックの前後幅を調節する貫通穴を一列に並設してある。前記Ｌ型の左右ホックの第１水平エッジにある２本のボルトがＵ型のホック本体の第２水平エッジにある貫通穴を通って蝶型ナット（１３）に捩じ込んで固定されている。これにより梯子のホックの幅を調整し、建築物の相違する厚さの壁に対応する。
【００１０】
支持具を縄梯子のベルトと踏桟の全ての連結部分に取り付けてもよく、２又は３本の踏桟ごとに一組取り付けてもよい。
【００１１】
使用者が縄梯子を踏む時、該縄梯子が変形しないようにするために、踏桟はアルミ合金材が内蔵され、外面は難燃性の編みテープで巻き付けられる。
【００１２】
次に具体的な実施例及び図面を用いて本実用新案を詳細に説明する。
【００１３】
図１と図２に示されるように、支持具が付いた本実用新案の縄梯子は、建築物に掛けられる梯子ホック（１）、該梯子ホック（１）と確実に連結した左右２本の梯子ベルト（２）で組み合わせた縄梯子の本体及び左右２本のベルトを連結する複数の踏桟（３）を含み、また、前記２本のベルト（２）のそれぞれの裏面に対称に配置した支持具（４）を含み、前記支持具（４）が縄梯子のベルト（２）と踏桟（３）と連結した箇所に取り付けられる。
【００１４】
図４に示すように、支持具（４）は金属材料を用いた折り畳み式の構造であり、リベットで踏桟（３）と前記２本のベルト（２）の連結した箇所に固定する基板（４１）、及びピボットシャフト（４３）によって該基板（４１）と回動可能に連結する支え板（４２）を含む。
【００１５】
前記ピボットシャフト（４３）が捩じりばね（４４）の中を通り、該捩りばね（４４）の捩り力のため、支え板（４２）が自動的に外側に広がり、支え板底部の内側にある凸縁（４２１）が前記基板（４１）の上側の小さい制限突起（４１１）に当たるまでに開き、開いた支え板（４２）と前記踏桟（３）の内角は９０度を僅かに超える。
この角度では支え板（４２）が力を受けてから折り畳み難く、足踏みに適した最良の空間を提供することができる。
【００１６】
図３に示すように、前記梯子ホック（１）は正面視がＵ型のホック本体（１１）及び、第１水平エッジ（１２１）と垂直エッジ（１２２）との２つのエッジで形成されたＬ型の左右ホック（１２）を含み、前記Ｕ型のホック本体（１１）には後方に延設している第２水平エッジ（１１１）があり、前記Ｌ型の左右ホック（１２）の第１水平エッジ（１２１）の内側に向って設けられている２本のボルト（１２３）で固定されており、前記ホック本体（１１）の２つの第２水平エッジ（１１１）には前記梯子ホック（１）の前後幅を調節する複数の貫通穴（１１２）が一列に並設される。前記Ｌ型の左右ホック（１２）の第１水平エッジ（１２１）に設けられる２本のボルトがＵ型のホック本体（１１）の第２水平エッジ（１１１）にある任意の貫通穴を通って蝶型ナット（１３）に捩じ込んで固定される。これによって壁等、建築物の厚みに応じて梯子のホック（１）の幅を調節することが可能である。蝶型ナット（１３）は手で回すことができ、工具を一切使う必要がない。
【００１７】
この支持具（４）が梯子の２本のベルト（２）と踏桟（３）の全ての連結部に配置されてもよいし、２又は３本の踏桟（３）ごとに一組の支持具（４）を配置してもよい。
【００１８】
前記踏桟（３）はアルミ合金材が内蔵され、２本の梯子ベルトの間に連結される。アルミ合金材の棒の断面が円型のため、軽量で高い強度を有し、使用者が踏んでも縄梯子が変形せず登りやすい。アルミ合金材の棒の外面は難燃焼のＰＰ編みテープを一枚巻いている。編みテープはナイロン糸で縫製され、耐摩耗力に優れているために用いられる。
【００１９】
使用する際に、取り付けられる建築物の厚みに応じて梯子ホック（１）の幅を変化させ、蝶型ナット（１３）を正確に締め、梯子ホック（１）を建築物に確実に掛けてから、縄梯子を広げていく。前記支持具（４）の上側にある支え板（４２）が捩りばねにより自動的に開いて壁等、建築物に取り付けられる部分を支えるように開き、踏桟（３）と壁の間に適度な空間ができ、使用者が踏み易くなる。
【考案の効果】
【００２０】
従来の技術に比べ、支持具が取り付けられた本実用新案の縄梯子は、縄梯子の本体が建築物の壁から少し離れ、一定の距離を保つので、足を置くための空間ができ、足で踏み易く安定する効果を有する。
【図面の簡単な説明】
【００２１】
【図１】本実用新案の縄梯子の正面図である。
【図２】本実用新案の縄梯子の右側面図である。
【図３】梯子ホック（１）の分解図である。
【図４】支持具（４）の分解図である。
【符号の説明】
【００２２】
１．梯子ホック
２．２本のベルト
３．踏桟
４．支持具
１１．ホック本体
１２．Ｌ型の左右ホック
１３．蝶型ナット
４１．基板
４２．支え板
４３．ピボットシャフト
４４．捩じりばね
１１１．第２水平エッジ
１１２．貫通穴
１２１．第１水平エッジ
１２２．垂直エッジ
１２３．２本のボルト
４１１．制限突起
４２１．凸縁部
【図１】
0003106361.tif 000003
【図２】
0003106361.tif 000004
【図３】
0003106361.tif 000005
【図４】
0003106361.tif 000006